(57)【要約】【課題】操作者が一連の医用処理手順を実行中に使用端末を切り替えるために医用処理手順を中断した時に、後に続く医用処理手順を実行することが可能な端末についての情報を表示する医用端末選択装置を提供する。【解決手段】複数の医用処理手順、および各前記手順の処理条件を記憶する手順記憶部００５と、複数の端末の仕様を記憶する端末仕様記憶部００６と、実行装置から実行履歴を受けており、さらに医用処理手順の中断の信号を受けて処理条件を参照して既に実行が終了している手順を特定する実行済手順特定部００１と、医用処理手順における残りの手順を特定する残手順特定部００２と、残りの各手順を実行するために必要な端末の処理能力を求める処理能力決定部００３と、求めた処理能力以上の処理能力を有する端末を残りの手順毎に抽出する端末抽出部００４と、を備える。【選択図】図１
2010170245.tif 000002
【特許請求の範囲】
【請求項１】
複数の手順を含む複数の医用処理手順、および各前記手順で使用するアプリケーションソフト及び表示する画像の種類を含む処理条件を記憶する手順記憶手段と、
複数の端末の仕様を記憶する端末仕様記憶手段と、
前記医用処理手順の中から特定の前記医用処理手順を選択する入力手段と、
前記選択された特定の医用処理手順を実行する実行装置から実行履歴を受けており、さらに前記特定の医用処理手順の実行の中断の信号を受けて前記処理条件を参照して該医用処理手順において既に実行が終了している手順を特定する実行済手順特定手段と、
前記実行が終了している手順が特定されたのを受けて前記特定の医用処理手順における残りの手順を特定する残手順特定手段と、
前記手順記憶手段に記憶された前記残りの各手順に該当する処理条件を参照して、前記残りの各手順を実行するために必要な端末の演算能力及び解像度を含む処理能力を求める処理能力決定手段と、
前記記憶されている前記端末の仕様を基に前記求めた処理能力以上の処理能力を有する前記端末を前記残りの手順毎に抽出する端末抽出手段と、
前記抽出した端末の情報を表示手段に表示させる表示制御手段と、
を備えたことを特徴とする医用端末選択装置。
【請求項２】
前記処理能力決定手段は、前記複数の医用処理手順毎にかつそれぞれを構成する複数の手順毎に、各前記アプリケーションソフトの実行及び画像の表示に必要な処理能力が記載されたテーブルを予め記憶しており、前記残りの手順の処理条件を基に前記テーブルを参照し必要な処理能力を求める、ことを特徴とする、請求項１に記載の医用端末選択装置。
【請求項３】
前記複数の端末の端末毎の使用予約状況を記憶する予約記憶手段をさらに備え、
前記表示制御手段は、前記抽出した端末の識別情報とともに前記使用予約状況を表示手段に表示させる、
ことを特徴とする請求項１又は請求項２に記載の医用端末選択装置。
【請求項４】
前記抽出された前記端末から前記特定の医療手順の再開の信号を受けて、前記求めた処理能力及び該抽出された端末の処理能力を基に、該抽出された端末が前記残りの手順を実行可能か否か判断する実行可能性判断手段と、
前記判断結果を該特定の端末に送信する通信手段と、
をさらに備えることを特徴とする請求項１乃至請求項３のいずれか１つに記載の医用端末選択装置。
【請求項５】
複数の手順を含む複数の医用処理手順、および各前記手順で使用するアプリケーション及び表示する画像の種類などの処理条件を記憶する手順記憶手段と、
複数の端末の仕様を記憶する端末仕様記憶手段と、
前記医用処理手順を実行する実行装置から入力された、実行された前記医用処理手順におけるモダリティの種類、撮像部位、撮像方法、又は撮像条件などの実行履歴の組み合わせを基に前記処理条件を参照して、実行されている前記医用処理手順を予測する医用処理手順予測手段と、
前記実行装置から実行履歴を受けており、さらに前記医用処理の中断の信号を受けて該医用処理手順において既に実行が終了している手順を特定する実行済手順特定手段と、
前記特定された実行が終了している手順を基に前記予測された前記医用処理手順における残りの手順を特定する残手順特定手段と、
前記手順記憶手段に記憶された前記残りの各手順に該当する処理条件を参照して、前記残りの各手順を実行するために必要な端末の演算能力や解像度などを含む処理能力を求める処理能力決定手段と、
前記記憶されている仕様を基に前記求めた処理能力以上の処理能力を有する前記端末を前記残りの手順毎に抽出する端末抽出手段と、
前記抽出した端末の情報を表示手段に表示させる表示制御手段と、
を備えたことを特徴とする医用端末選択装置。
【請求項６】
操作者の選択に基づき実行された過去の医用処理手順及び実行履歴を記憶しておく操作者履歴記憶手段をさらに備え、
前記医用処理手順予測手段は、前記過去の医用処理手順及び実行履歴を参照し、前記予測した医用処理手順の候補を過去に行ったことのある医用処理手順及び少なくとも過去の実行履歴と一部が一致する医用処理手順に絞り込むことを特徴とする請求項５に記載の医用端末選択装置。
【発明の詳細な説明】
【技術分野】
【０００１】
本発明は、複数端末にわたって一連の医用処理手順を実行する場合に使用する医用端末の選択を支援するための医用端末選択装置に関する。
【背景技術】
【０００２】
コンピュータのネットワーク技術及びシンクライアント技術の発展により、医用画像処理に含まれる各段階の処理を処理対象の装置に依存することなく実行することが可能になった。例えば、計算に時間のかかる複雑な画像処理を行う専用の装置を操作者が使用する端末とは別に設置しておく。そして、医師や技師等の操作者（以下では、単に「操作者」という。）が端末上から画像処理操作を行った時に、画像処理を操作者が使用している端末で実行するのではなく、対象データを端末から専用の装置に送り該装置で画像処理を実行し、その結果を操作者が使用している端末に送り返すことが可能になっている。この場合、実際の計算処理は専用の装置で行われているため、操作者が操作している端末には画像処理の計算を行うための演算能力は必要とされない。このように、操作者が操作する端末と計算処理を行う装置とを分離させることにより、操作者はモダリティ装置の操作コンソール、ワークステーション、汎用ＰＣ、又はモバイルデバイスといった使用端末をそれぞれの用途に合わせて切り替えながら一連の医用処理手順（例えば、医用画像処理の手順など。）を容易に継続できるようになっている。
【０００３】
しかし、端末には演算能力や画面の解像度などが異なる様々な種類のものが存在する。そのため、使用端末を切り替えながら一連の医用処理手順を実行するためには、それぞれの手順毎にその手順を実行する上で適切な使用端末を都度選択する必要がある。この選択を行うにあたって操作者は、実行する手順の処理内容、端末の仕様、及び端末のネットワークへの接続状態といった情報を把握する必要がある。
【０００４】
例えば、画像上に関心領域（ＲＯＩ）を描画する操作が含まれる手順を実行する場合には、描画が容易なインタフェースを有する端末を選択する必要がある。また、高精度な医用画像の全体を詳細に確認する必要がある手順を実行する場合、高精度な画像を一画面で表示するために十分な解像度を有する端末を選択する必要がある。また、取り扱うデータが膨大である手順を実行する場合には、対象データを端末と計算処理を行う装置の間でデータをやり取りする際に十分な通信速度を確保できるネットワーク環境に設置された端末を選択する必要がある。
【０００５】
しかし、操作者が端末を選択するにあたって、実行することとなる手順における端末の処理内容を正確に把握することは困難である。また、仮に処理内容を把握していたとしても、その処理内容を適切に処理することのできる端末を選択することは困難である。このため、操作者が端末を切り替えながら一連の医用処理手順を実行した場合には以下の（ａ）（ｂ）のような問題が発生する恐れがある。（ａ）操作者が手順を実行できない端末を選択してしまう。（ｂ）操作者がどのような手順でも実行可能な端末を選択することで複数の端末のうち最も機能が豊富で性能の高い端末のみが使用されることになる。これにより、病院内にある他の端末が利用されなくなり、病院全体として医用処理のスループットが悪化してしまう。
【０００６】
この点、従来適当な端末を選択する技術として、コンピュータやストレージシステムをユーザの利用特性に応じて割り当てる技術（たとえば、特許文献１参照。）が提供されている。
【先行技術文献】
【特許文献】
【０００７】
【特許文献１】特開２００７−１６４３０４号公報
【発明の概要】
【発明が解決しようとする課題】
【０００８】
しかし、特許文献１に記載の技術においては、医用処理における臨床アプリケーションソフトなどの使用を考慮していないため特定の医用処理手順を実行するのに適切な端末を選択することは困難である。
【０００９】
この発明は、このような事情に鑑みてなされたもので、操作者が一連の医用処理手順を実行中に使用端末を切り替えるために医用処理手順を中断した時に、後に続く医用処理手順を実行することが可能な端末についての情報を表示する医用端末選択装置を提供することを目的としている。
【課題を解決するための手段】
【００１０】
上記目的を達成するために、請求項１に記載の医用端末選択装置は、複数の手順を含む複数の医用処理手順、および各前記手順で使用するアプリケーションソフト及び表示する画像の種類を含む処理条件を記憶する手順記憶手段と、複数の端末の仕様を記憶する端末仕様記憶手段と、前記医用処理手順の中から特定の前記医用処理手順を選択する入力手段と、前記選択された特定の医用処理手順を実行する実行装置から実行履歴を受け、さらに前記特定の医用処理手順の実行の中断の信号を受けて前記処理条件を参照して該医用処理手順において既に実行が終了している手順を特定する実行済手順特定手段と、前記実行が終了している手順が特定されたのを受けて前記特定の医用処理手順における残りの手順を特定する残手順特定手段と、前記手順記憶手段に記憶された前記残りの各手順に該当する処理条件を参照して、前記残りの各手順を実行するために必要な端末の演算能力及び解像度を含む処理能力を求める処理能力決定手段と、前記記憶されている前記端末の仕様を基に前記求めた処理能力以上の処理能力を有する前記端末を前記残りの手順毎に抽出する端末抽出手段と、前記抽出した端末の情報を表示手段に表示させる表示制御手段と、を備えたことを特徴とするものである。
【００１１】
請求項５に記載の医用端末選択装置は、複数の手順を含む複数の医用処理手順、および各前記手順で使用するアプリケーション及び表示する画像の種類などの処理条件を記憶する手順記憶手段と、複数の端末の仕様を記憶する端末仕様記憶手段と、前記医用処理手順を実行する実行装置から入力された、実行された前記医用処理手順におけるモダリティの種類、撮像部位、撮像方法、又は撮像条件などの実行履歴の組み合わせを基に前記処理条件を参照して、実行されている前記医用処理手順を予測する医用処理手順予測手段と、前記実行装置から実行履歴を受けており、さらに前記医用処理の中断の信号を受けて該医用処理手順において既に実行が終了している手順を特定する実行済手順特定手段と、前記特定された実行が終了している手順を基に前記予測された前記医用処理手順における残りの手順を特定する残手順特定手段と、前記手順記憶手段に記憶された前記残りの各手順に該当する処理条件を参照して、前記残りの各手順を実行するために必要な端末の演算能力や解像度などを含む処理能力を求める処理能力決定手段と、前記記憶されている仕様を基に前記求めた処理能力以上の処理能力を有する前記端末を前記残りの手順毎に抽出する端末抽出手段と、前記抽出した端末の情報を表示手段に表示させる表示制御手段と、を備えたことを特徴とするものである。
【発明の効果】
【００１２】
請求項１に記載の医用端末選択装置は、実行している医用処理手順を中断した時に、実行している医用処理手順のうちの残っている手順を実行可能な医用端末が表示される構成である。これにより、操作者は残りの手順を実行可能な医用端末が容易に把握できる。したがって、この医用端末選択装置は作業効率の向上に寄与することができる。
【００１３】
請求項５に記載の医用端末選択装置は、中断していた医用処理手順を再開するときに、再開しようとした医用端末に対し該医用端末による残っている手順の実行可能性を送信する構成である。これにより、操作者は、再開しようとした医用端末で、その医用端末における残りの手順の実行可能性を容易に把握することができ、残りの手順を実行するのに適切な医用端末を選択することが可能となる。したがって、この医用端末選択装置は、作業効率の向上に寄与することができる。
【図面の簡単な説明】
【００１４】
【図１】第１及び第２の実行形態に係る医用端末選択装置におけるブロック図
【図２】本発明における医用端末選択装置を用いたシステムのシステム構成図
【図３】第１の実行形態に係る医用端末選択装置における選択可能な医用端末を表示する表示画面の一例の図
【図４】第１の実行形態に係る医用端末選択装置における医用端末の選択及び表示の流れを表すフローチャートの図
【図５】第２の実行形態に係る医用端末処理装置における選択可能な医用端末を表示する表示画面の図
【図６】第３の実行形態に係る医用端末選択装置におけるブロック図
【図７】第３の実行形態における残りの手順の実行可能性を表示する医用端末の表示画面の図
【図８】第４の実行形態に係る医用端末選択装置におけるブロック図
【発明を実施するための形態】
【００１５】
〔第１の実行形態〕
以下、この発明の第１の実行形態に係る医用端末選択装置について説明する。図１は本発明に係る医用端末選択装置の機能を表すブロック図である。図２は本発明に係る医用端末選択装置を導入した医用システムの構成図である。
【００１６】
図２に示すように、本実行形態に係る医用端末選択装置２０１はネットワークを介して、モダリティ２０２、医用端末２０３ａ、医用端末２０３ｂ、及び医用端末２０３ｃ（以下では、各医用端末を区別しない時には単に「医用端末２０３」という。）と接続されている。また、モダリティ２０２及び医用端末２０３ともに以下で説明する医用処理手順を実行する装置であり、モダリティ２０２及び医用端末２０３を区別しない時にはそれらをまとめて実行装置と呼ぶ。ここで、医用処理手順とは、診断などの医療行為を行うに際し必要な一連の手順である。例えば、医用処理手順の一つの例としては、モダリティ２０２で被検体の観察対象部位を撮影する手順、撮影した画像を臨床用のアプリケーションソフトで解析する手順、及び解析した画像を読影する手順、といった、一連の手順を含むものがある。
【００１７】
ここで、図２ではモダリティ２０２を１台しか記載していないが、実際には複数台接続されているものとする。このモダリティ２０２は、ＭＲＩ装置、Ｘ線ＣＴ装置、又は超音波診断装置などの医用画像診断装置であればどのようなものでもよい。また、モダリティ２０２は、モニタなどの表示部やキーボードやマウスなどの入力部（いずれも不図示）といったユーザインタフェースおよび演算処理を行うＣＰＵなどを備えており、それらを使用してアプリケーションソフトを実行し解析処理などを行うことも可能である。すなわち、図２ではモダリティ２０２と医用端末２０３を別個に記載しているが、モダリティ２０２にも医用端末としての機能が備わっている。
【００１８】
さらに、図２では医用端末２０３を３台記載しているが、実際にはもっと多くの医用端末２０３が接続されていてもよいし、またそれ以下でもよい。そして、医用端末２０３の具体例としては、ワークステーション、ＰＤＡ（Ｐｅｒｓｏｎａｌ  Ｄｉｇｉｔａｌ  Ａｓｓｉｓｔａｎｔ）、汎用ＰＣ、など様々な演算能力や画像の解像度といった処理能力を有するコンピュータなどがある。
【００１９】
図１において、手順記憶部００５は、ハードディスクやメモリ等の記憶媒体で構成されている。手順記憶部００５には、操作者によって複数の医用処理手順がそれぞれの医用処理手順を構成する複数の手順とともに予め記憶されている。さらに、手順記憶部００５には、記憶している各手順（医用処理手順に含まれる個々の手順を指す）で行われる操作や、使用されるデータの種類といった処理条件が各手順と対応させて記憶されている。この手順記憶部００５が本発明における「手順記憶手段」にあたる。
【００２０】
端末仕様記憶部００６は、ハードディスクやメモリ等の記憶媒体で構成されている。端末仕様記憶部００６には、各医用端末２０３に備わっているＣＰＵの種類、メモリのサイズ、ネットワークコントローラのデータ転送率、及びグラフィックコントローラの画像解像度といったハードウェアの仕様（スペック）が該当する医用端末２０３の識別情報とともに対応させて記憶されている。このハードウェアの仕様によって、演算能力や画像解像度といった各医用端末２０３の処理能力が求まる。例えば、ＣＰＵの種類、メモリのサイズ、によって特定のアプリケーションを動かすことが可能な否かを判断できる。また、データ転送率によって快適に転送が行えるデータのサイズを判断することができる。さらに、画像解像度によってどのような画像を表示することが可能かを判断することができる。実際には医用端末２０３の仕様と処理能力は同様のものとも考えられるが、以下の説明では各仕様の単体もしくは組み合わせたものの能力を処理能力とする。本実行形態では、操作者によって手動で入力されたこのハードウェアの仕様を端末仕様記憶部００６が記憶しているが、これは他の方法でもよい。例えば、各医用端末２０３自身が管理しているハードウェアプロファイルを自動的に端末仕様記憶部００６に送信し、端末仕様記憶部００６が受信したハードウェアプロファイルを記憶するといった方法でもよい。この端末仕様記憶部００６が本発明における「端末仕様記憶手段」にあたる。
【００２１】
ここで、本実行形態では手順記憶部００５と端末仕様記憶部００６とに区別して説明しているが、これは一つの記憶部でももっと多くに分割された記憶部でもよい。
【００２２】
操作者は、ユーザインタフェース００８を用いて、これから実行しようとする医用処理手順の識別情報を入力する。この医用処理手順の識別情報は、実行済手順特定部００１及び残手順特定部００２に入力される。具体的には、操作者が入力部００９を使用して、実行済み手順の選択開始の指示を入力する。表示制御部００７は選択開始の指示を受けて、手順記憶部００５に記憶されている複数の医用処理手順の概要と識別情報とを選択可能に表示部０１０に表示させる。操作者は、表示されている複数の医用処理手順の中から自身が実行しようとする医用処理手順の識別情報を選択し、入力部００９を用いて選択することにより医用処理手順を入力する。この入力は例えばマウスによるクリックなどで行われる。この入力部００９が本発明における「入力手段」にあたる。以下の説明では、操作者がＭＲＩ装置（実行装置の一例）で被検体の脳を撮像し、撮像した画像を臨床用の脳の解析用アプリケーションを使用して解析し、解析した画像を読影するという一連の流れの医用処理手順を実行する場合で説明する。以下では、この医用処理手順を「脳診断処理手順」という。
【００２３】
実行済手順特定部００１は、医用処理手順の実行中は、実行された医用処理手順において操作者が行った操作履歴や使用したデータの種類といった実行履歴の入力を実行装置（モダリティ２０２及び医用端末２０３）から常時受信している。この実行済手順特定部００１が本発明における「実行済手順特定手段」にあたる。ここで、操作履歴とは、使用したモダリティ２０２の種類、撮像部位、撮像方法、及び撮像条件など操作者が医用処理手順を実行した履歴である。また、使用したデータの種類とは、例えば画像解析を行うために使用された脳の画像データであるとか、アプリケーションソフトの実行中に使用させる解析用のデータなどである。例えば、操作者がＭＲＩ装置で脳の撮像を行った場合、実行履歴としては、モダリティ２０２がＭＲＩ装置、撮像部位が脳、撮像方法がヘリカルスキャン、撮像条件としてヘリカルピッチ、撮像開始の信号、撮像終了の信号などが送られてくる。
【００２４】
実行済手順特定部００１は、操作者が実行中の医用処理手順を中断したという情報を受け取る。ここで、中断の情報とは、医用処理手順を構成する複数の手順の変わり目において、前の手順を終了したという情報である。これは例えばモダリティ２０２での撮像が終わり次の作業に移るため作業する装置を変更する必要があるときに、一度モダリティ２０２からログアウトし手順を止める場合などを指す。操作者が作業を終了し使用している実行装置からログアウトを行った時に、該実行装置が実行中の医用処理手順の中断の信号を実行済手順特定部００１に送信する。これにより、実行済手順特定部００１は医用処理手順の中断の信号を受け取ることができる。
【００２５】
実行済手順特定部００１は、医用処理手順の中断の信号を受信すると、その時点までに入力された実行履歴を基に手順記憶部００５に記憶されている手順と処理条件との対応を参照する。そして実行済手順特定部００１は、選択された医用処理手順に含まれる手順のうち、入力された実行履歴と一致する処理条件を有する手順を「実行が終了している手順」として特定する。例えば、操作者が脳診断処理手順のうちＸ線ＣＴ装置で脳の撮像を行い撮像の終了を行った場合、実行済手順特定部００１は、上述の受信した実行履歴から、モダリティとしてＸ線ＣＴ装置が使用された、脳が撮像された、撮像が終了したといった情報を取得し、Ｘ線ＣＴ装置による脳の撮像及び画像生成までの手順を脳診断処理手順において実行が終了している手順として特定する。
【００２６】
実行済手順特定部００１は、実行が終了している手順を特定する情報を残手順特定部００２へ出力する。
【００２７】
残手順特定部００２は、実行が終了している手順の情報の入力を実行済手順特定部００１から受信する。残手順特定部００２は、実行が終了している手順の情報を基に手順記憶部００５を参照し、選択された医用処理手順のうち実行が終了している手順以降の残りの手順を特定する。本実行形態では、上述のように脳診断処理手順のうちＭＲＩ装置による脳の撮像が終了しているので、残手順特定部００２は、脳診断処理手順のうちＭＲＩ装置による脳の撮像以降の残りの手順である「撮像した画像を臨床用の脳の解析用アプリケーションを使用して解析する手順」と「解析した画像を読影する手順」とを残りの手順として特定する。
【００２８】
残手順特定部００２は、残りの手順を特定する情報を処理能力決定部００３へ出力する。この残手順特定部００２が本発明における「残手順特定手段」にあたる。
【００２９】
処理能力決定部００３は、残りの手順の情報の入力を残手順特定部００２から受ける。そして、処理能力決定部００３は、入力された残りの手順を基に手順記憶部００５に記憶されている手順とその手順における処理条件との対応を参照する。そして、処理能力決定部００３は、残りの各手順における処理条件を抽出する。本実行形態の場合、「撮像した画像を脳画像の解析用アプリケーションソフトを使用して解析する手順」では、動かす脳画像の解析用アプリケーションソフトによる処理が処理条件として求められる。また、「解析した画像を読影する手順」では、レポート作成ソフトによる処理が処理条件として求められる。
【００３０】
次に処理能力決定部００３は、求めた処理条件を基にその処理条件を実行するために必要な処理能力を決定する。ここで、脳画像の解析用アプリケーションソフトによる処理は複雑なため、高性能のＣＰＵと大きなサイズのメモリ（ここでは２ＧＨｚのＣＰＵと４ＧＢのメモリが必要とする）が処理能力として要求され、さらに、脳の精密な画像を描画するために高い解像度（ここでは、１００万画素の解像度が必要とする）が処理能力として要求される。また、レポート作成ソフトによる処理では、演算処理はほとんど行われず、さらに画像が多少荒くてもレポートの作成は可能であるため、通常の画像を表示できるだけの処理能力（ここでは、１ＧＨｚのＣＰＵ、１ＧＢのメモリ、３０万画素の画像解像度を必要とする）が処理能力として要求される。
【００３１】
処理能力決定部００３は、決定した残りの各手順における必要とされる処理能力を端末抽出部００４へ出力する。この処理能力決定部００３が本発明における「処理能力決定手段」にあたる。
【００３２】
端末抽出部００４は、残りの各手順において要求される処理能力の情報を処理能力決定部００３から受ける。そして、端末抽出部００４は、現在図２のネットワークに接続されている端末であって、端末仕様記憶部００６に記憶されている各医用端末２０３のハードウェアの仕様を参照し、入力された処理能力以上の処理能力を有する医用端末２０３を抽出する。ここで、医用端末２０３を抽出するとは識別情報を抽出することである。さらに、端末抽出部００４は、抽出した各医用端末２０３が各手順においてどの程度の動作を行えるかを判断する。そして、端末抽出部００４は、各医用端末２０３が各手順においてどの程度の動作を行えるかの基準を、十分に手順を実行できる場合を「推奨」とし、どうにか実行できる場合を「可能」とする。
【００３３】
本実行形態では、医用端末２０３ａは、ＣＰＵが２．４ＧＨｚ、メモリが８ＧＢ、画像解像度が２００万画素を有する。医用端末２０３ｂは、ＣＰＵが２ＧＨｚ、メモリが４ＧＢ、画像解像度１００万画素を有する。そして、医用端末２０３は、ＣＰＵが１ＧＨｚ、メモリが１ＧＢ、画像解像度が３０万画素を有する。そこで、端末抽出部００４は、医用端末２０３ａが「撮像した画像を脳の解析用アプリケーションソフトを使用して解析する手順」を実行するための十分な処理能力を有している、すなわち「推奨」と判断する。また、端末抽出部００４は、医用端末２０３ｂが「撮像した画像を脳の解析用アプリケーションソフトを使用して解析する手順」を実行するのに最低限の能力しか有していない、すなわち「可能」であるが、「解析した画像を読影する手順」を実行するには十分な能力を有している、すなわち「推奨」と判断する。さらに、端末抽出部００４は、医用端末２０３ｃが「解析した画像を読影する手順」を実行する能力を有していないと判断する。
【００３４】
端末抽出部００４は、抽出した手順毎の該手順を実行が「可能」あるいは「推奨」する医用端末２０３の識別情報、及び各医用端末２０３が各手順においてどの程度の動作を行えるかの情報を表示制御部００７へ出力する。この端末抽出部００４が本発明における「端末抽出手段」にあたる。
【００３５】
表示制御部００７は、図３に示すような抽出された医用端末２０３を表示するための表示画面のフォーマットを予め記憶している。図３は選択可能な医用端末２０３の表示画面の一例の図である。表示制御部００７は、端末抽出部００４から入力された各手順における該手順を実行可能な医用端末２０３の識別情報、及び各医用端末２０３が各手順を実行するのにどの程度の動作を行えるかの情報を、記憶しているフォーマットを基に図３に示すような表示画面として表示部０１０に表示させる。この表示は図３に示すように処理能力の低いものから順番に下に向かって表示されている。すなわち、表の一番上にある行３０１には処理能力の低い医用端末２０３ｂが記載されている。また、医用端末２０３ａは医用端末２０３ｂよりも処理能力が高いため下の行３０２に記載されている。また、医用端末２０３ｃは、手順を実行する能力がないために表示はなされない。そして、列３０３にどの程度の処理が行えるか、すなわち「推奨」や「可能」などの情報が記載されている。ここで、脳解析用のアプリケーションとは「撮像した画像を脳の解析用アプリケーションソフトを使用して解析する手順」を表しており、レポート作成とは「解析した画像を読影する手順」を表している。このように、本実行形態では、各手順を実行可能な医用端末２０３のうち処理能力の低いものから順に候補として挙げている。これにより、操作者は実行しようとする手順に適切な医用端末２０３を容易に見つけることが可能となり、その手順を実行するのに不必要なほどの高い処理能力を持つ医用端末２０３を選択することを抑えることができる。この表示制御部００７が本発明における「表示制御手段」にあたる。また表示部０１０が本発明における「表示手段」にあたる。
【００３６】
また、抽出した医用端末２０３の表示画面にさらに他の情報を付加して表示させてもよい。たとえば、備考欄などを加えて、対応する医用端末２０３が「持ち出しの可否」や、「利用時間」などの付加情報を表示させてもよい。その場合、各医用端末２０３に対応した付加情報を、端末仕様記憶部００６に記憶させておき、端末抽出部００４が各医用端末２０３の情報とともに取得して表示制御部００７に送信する構成にすればよい。
【００３７】
次に、図４を参照して本実行形態に係るＸ線ＣＴ装置における医用端末の選択及び表示の流れを説明する。ここで、図４は本実行形態に係るＸ線ＣＴ装置における医用端末の選択のフローチャートの図である。図４に記載のフローチャートは、左に操作者による操作、右に本発明に係るＸ線ＣＴ装置による動作を記載している。また、以下の説明では、手順記憶部００５に複数の医用処理手順が既に記憶されており、端末仕様記憶部００６に複数の端末の処理能力が既に記憶されているものとする。
【００３８】
ステップＳ００１：操作者は、ユーザインタフェース００８を用いて実行する医用処理手順の入力を行う。具体的には、操作者は、表示部０１０に表示された複数の医用処理手順の中から、これから自身が実行しようとする医用処理手順を選択し、マウスなどの入力部００９を用いて選択した医用処理手順を入力する。
【００３９】
ステップＳ００２：実行済手順特定部００１及び残手順特定部００２は、操作者が選択した医用処理手順の入力を受けて、該医用処理手順の識別情報を記憶する。
【００４０】
ステップＳ００３：操作者は、モダリティ２０２又は医用端末２０３などの実行装置を使用して選択した医用処理手順を開始する。
【００４１】
ステップＳ００４：実行済手順特定部００１は、操作者が医用処理手順を実行しているモダリティ２０２又は医用端末２０３などの実行装置から実行履歴の入力を受け、該実行履歴を記憶する。
【００４２】
ステップＳ００５：操作者が現在実行している医用処理手順を中断すると、実行装置から実行中の医用処理手順の中断の信号が医用端末選択装置へ出力される。医用処理手順の中断とは、操作者によるモダリティ２０２を使用した撮像が終了して次の手順に移るなどといった１つの手順が終了した後の中断を指す。
【００４３】
ステップＳ００６：実行済手順特定部００１は、実行中の医用処理手順が中断されるまでに入力された実行履歴を基に、手順記憶部００５に記憶されている選択された医用処理手順に含まれる各手順それぞれにおける処理条件を参照し、実行が終了した手順を特定する。
【００４４】
ステップＳ００７：残手順特定部００２は、実行済手順特定部００１により特定された実行が終了した手順を基に、手順記憶部００５に記憶されている選択された医用処理手順を参照し、選択された医用処理手順に含まれる手順のうち未だ実行されていない残りの手順を特定する。
【００４５】
ステップＳ００８：処理能力決定部００３は、残手順特定部００２からの未だ実行されていない残りの手順の入力を基に、手順記憶部００５に記憶されている手順とその手順における処理条件との対応テーブルを参照する。そして、処理能力決定部００３は、残りの各手順を実行するのに必要な医用端末２０３の処理能力を抽出する。
【００４６】
ステップＳ００９：端末抽出部００４は、処理能力決定部００３か入力される残りの手順で必要とされる処理能力を基に、端末仕様記憶部００６に記憶されている医用端末２０３の処理能力を参照し、各手順を実行可能な医用端末２０３を抽出する。さらに、端末抽出部００４は、各医用端末２０３が各手順においてどのくらいの動作を行えるかの情報を取得する。
【００４７】
ステップＳ０１０：表示制御部００７は、予め記憶しているフォーマットを基に、端末抽出部００４から入力された残りの手順を実行可能な医用端末２０３の識別情報と、該医用端末２０３が各手順においてどのくらいの動作を行えるかといった情報を表示部０１０に表示させる。
【００４８】
以上で説明したように、本実行形態に係る医用端末選択装置は、操作者が実行している医用処理手順を中断した時に、残りの手順において必要な処理能力を有する医用端末を、その手順においてどのくらいの処理が行えるかといった情報とともに、その処理能力の低い順に表示する構成である。これにより、操作者はどの医用端末を使用すれば残りの手順を実行できるかを容易に把握できるので、作業効率を向上させることが可能となる。また、抽出された医用端末が処理能力の低い順に表示されているため、操作者は実行しようとする残りの手順を実行するのに適切な処理能力を有する医用端末を容易に探すことができ、処理能力の高い医用端末に使用が集中することを避けることが可能となる。
【００４９】
また、本実行形態では、医用端末選択装置の表示部に残りの手順が実行できる各医用端末を表示させたが、これは他の装置の表示部に表示させてもよい。例えば、各医用端末を操作者が中断するまで使用していた実行装置に残りの手順が実行できる医用端末の識別情報をネットワークを介して送信し、その実行装置の表示部に表示させるといった構成でもよい。
【００５０】
〔第２の実行形態〕
以下、この発明の第２の実行形態に係る医用端末選択装置について説明する。本実行形態に係る医用端末選択装置は、抽出した医用端末とともに各医用端末の予約状況を表示することが第１の実行形態に係る医用端末選択装置と異なるものである。そこで、以下では、医用端末の予約状況の取得及び表示について主に説明する。本実行形態に係る医用端末選択装置の構成は図１に点線で示す予約記憶部０１１を第１の実行形態に係る医用端末選択装置に付加した構成である。
【００５１】
予約記憶部０１１は、ＨＩＳ（Ｈｏｓｐｉｔａｌ  Ｉｎｆｏｒｍａｔｉｏｎ  Ｓｙｓｔｅｍ）から各医用端末２０３の予約状況の入力を受けその予約状況を記憶している。ここで、本実行形態ではＨＩＳが設置してある病院として説明している。ただし、ＨＩＳ以外でも各医用端末の予約を管理する予約管理システムであればよい。その場合、予約記憶部０１１は該予約管理システムから予約状況の入力を受ければよい。
【００５２】
表示制御部００７は、抽出した医用端末２０３の識別情報及び該医用端末２０３が対応する手順においてどの程度の動作が可能かの情報の入力を端末抽出部００４から受ける。そして、表示制御部００７は、入力された医用端末２０３の識別情報を基に予約記憶部０１１を検索し、入力された各医用端末２０３の予約状況を抽出する。そして、表示制御部００７は、予め記憶している図５に示す表示画面のフォーマットを基に、医用端末２０３の識別情報、医用端末２０３の種類、医用端末２０３が各手順においてどの程度の動作が可能か、医用端末２０３の空き状況（予約状況）、及び予約ボタンを表示部０１０に表示させる。ここで、図５は本実行形態に係る医用端末選択装置における選択可能な医用端末２０３の表示画面の一例の図である。列４０１に各医用端末２０３の空き状況が記載されており、何時に使用可能かを把握することができる。また、列４０２にソフトの予約ボタンが配置されており、該予約ボタンをマウスなど入力部００９でクリックすることで本発明に係る医用端末選択装置からＨＩＳに対し予約の送信がなされ、対応する医用端末２０３の予約が行われる。ここで、本実行形態では、予約状況の確認とともに予約を行えるようにするため予約ボタンを配置したがこれがなくても本実行形態に係る医用端末選択装置は動作可能である。
【００５３】
以上で説明したように、本実行形態に係る医用端末選択装置は、各手順を実行可能な医用端末を表示するとともにその医用端末の予約状況を表示画面に表示することが可能である。これにより、容易に各医用端末の予約状況を把握することができ、特定の医用端末に使用が集中することを回避することが可能となる。
【００５４】
〔第３の実行形態〕
以下、この発明の第３の実行形態に係る医用端末選択装置について説明する。本実行形態に係る医用端末選択装置は、中断した医用処理手順を再開する時に、再開しようとしている医用端末でその後の手順がどのくらい動作可能であるか表示させるものである。図６は本実行形態に係る医用端末選択装置の機能を表すブロック図である。図６において図１と同様の符号を付された機能部は特に説明のない限り同様の機能を有するものとする。以下の説明では、第１の実行形態と同様に、操作者が脳診断処理手順を選択し、ＭＲＩ装置で脳の撮像を終了した状態で脳診断処理手順を中断し、その後操作者が脳診断処理手順を再開するといった状況で説明する。
【００５５】
実行済手順特定部００１は、実行されている医用処理手順の中断の信号を実行装置から受けて、中断までに受信した実行履歴を基に手順記憶部００５を参照し、実行が終了した手順を特定する。
【００５６】
残手順特定部００２は、実行が終了した手順を基に手順記憶部００５を参照し、残りの手順を特定する。
【００５７】
処理能力決定部００３は、手順記憶部００５を参照し残りの手順での処理条件を取得し、その処理条件を実行することが可能な最低限度の処理能力を決定する。
【００５８】
操作者は、何れかの実行装置、すなわち医用端末２０３やモダリティ２０２から医用処理手順の再開の信号を送信する。本実行形態では、操作者が医用端末２０３ｂから脳診断処理手順の再開の信号を送信したとする。
【００５９】
実行可能性判断部６０１は、医用端末２０３ｂから脳診断処理手順の再開の信号の入力を受ける。実行可能性判断部６０１は、脳診断処理手順の再開を入力してきた医用端末２０３ｂの識別情報を医用端末２０３ｂから取得する。そして、実行可能性判断部６０１は、医用端末２０３ｂの識別情報を基に端末仕様記憶部００６を参照し、医用端末２０３ｂの仕様を取得する。そして、実行可能性判断部６０１は、処理能力決定部００３が決定した残りの手順に必要な処理能力と医用端末２０３ｂの仕様を比較し、医用端末２０３ｂが残りの手順においてどのくらいの動作が可能かを判断する。すなわち、本実行形態では、実行可能性判断部６０１は、医用端末２０３ｂが「撮像した画像を脳の解析用アプリケーションソフトを使用して解析する手順」を実行するのに最低限の能力しか有していないが、「解析した画像を読影する手順」を実行するには十分な能力を有している医用端末と判断する。
【００６０】
実行可能性判断部６０１は、撮像した画像を脳の解析用アプリケーションソフトを使用して解析する手順」を実行するのに最低限の能力しか有していないが、「解析した画像を読影する手順」を実行するには十分な能力を有しているという判断結果を通信部６０２へ出力する。
【００６１】
通信部６０２は、入力された判断結果を医用端末２０３ｂへ送信する。ここで、判断結果とは図７に示される表示画面の記載事項の内容となる情報である。
【００６２】
医用端末２０３ｂは、通信部６０２から残りの手順において自己がどのくらいの動作が可能かという判断結果を受信する。ここで、図７は通信部６０２から送られてきた判断結果であって、本実行形態における残りの手順の実行可能性を表示する医用端末の表示画面の図である。
【００６３】
そして、医用端末２０３ｂは、受信した判断結果を基に図７に記載するような表示画面を自己が有する表示部に表示する。ここで、医用端末２０３ｂは、十分な能力を有しているという判断結果を受信した場合、「快適に動作する」と表示する。また、医用端末２０３ｂは、最低限の能力しか有していないという判断結果を受信した場合、「動作はするが、応答が遅くなるので勧められない」と表示する。すなわち、「撮像した画像を脳の解析用アプリケーションソフトを使用して解析する手順」は、行７０１のＸＸアプリケーションと表わされる。そして、列７０３にその手順における動作可能性として、「動作しますが、応答が遅くなるためお勧めできません。」というコメント７０４が表示される。また、「解析した画像を読影する手順」は行７０２のレポート作成と表わされる。そして、列７０３にその手順における動作可能性として、「快適に動作します」というコメント７０５が表示される。
【００６４】
以上のように、本実行形態に係る医用端末選択装置では、何れかの医用端末で中断している医用処理手順を再開しようとした時に、該医用端末に残りの手順がその医用端末でどの程度実行可能かを表示させることができる構成としている。これにより、操作者は医用処理手順を再開しようとしている医用端末で残りの手順のうちどの手順がどの程度実行可能かを容易に把握することができ、作業効率を向上させることが可能となる。
【００６５】
また、以上では、再開した時に手順を再開した端末の動作可能性を求める機能を有する医用端末選択装置として説明したが、第１の実行形態と同様に、中断時に選択可能な医用端末の表示を行う機能とともに本実行形態における機能のいずれの機能も有する医用端末選択装置として構成しても動作可能である。
【００６６】
〔第４の実行形態〕
以下、この発明の第４の実行形態に係る医用端末選択装置について説明する。本実行形態における医用端末選択装置は、実行する医用処理手順の入力を受けずに、実行履歴から実行されている医用処理手順を予測することが第１の実行形態と異なる構成である。そこで、以下では医用処理手順の予測について主に説明する。図８は本実行形態に係る医用端末選択装置の機能を表すブロック図である。図８において図１と同様の符号を付された機能部は特に説明のない限り同様の機能を有するものとする。
【００６７】
操作者履歴記憶部８０１は、過去に操作者が行った医用処理手順及び過去に操作者が行った実行履歴を予め記憶している。操作者履歴記憶部８０１は、直接操作者からの入力を受けて医用処理手を記憶し、実行履歴はその操作者が過去に医用処理を行っている時にその医用処理を実行している実行装置から受けて記憶している。
【００６８】
操作者が実行装置を用いて医用処理手順の実行中に、該実行装置は実行済手順特定部００１及び医用処理手順予測部８００に対し実行履歴を出力する。
【００６９】
医用処理手順予測部８００は、入力された実行履歴を基に手順記憶部００５に記憶されている各医用処理手順に含まれる各手順を検索する。医用処理手順予測部８００は、入力された実行履歴と一致する実行する内容を含む処理条件を有する手順を求める。そして、医用処理手順予測部８００は、求めた手順を含む医用処理手順が現在実行されている医用処理手順であると予測する。ここで現在実行されている医用処理手順として予測される医用処理手順は１つでも複数あってもよい。
【００７０】
さらに、医用処理手順予測部８００は、操作者履歴記憶部８０１を参照し、過去に操作者が行った医用処理手順を取得する。そして、医用処理手順予測部８００は、予測した医用処理手順のうちで過去に操作者が行った医用処理手順を抽出する。さらに、医用処理手順予測部８００は、操作者履歴記憶部８０１から過去に操作者が行った実行履歴を取得する。そして、医用処理手順予測部８００は、過去の操作者の実行履歴を基に、現在の実行履歴の後に行われる可能性のある手順を抽出する。そして、現在の実行履歴による手順及び後に行われる可能性のある手順を含む医用処理手順を、予測した医用処理手順の中から抽出する。このようにして、医用処理手順予測部８００は、予測した医用処理手順の中から過去に行った医用処理手順及び過去の実行履歴を基に、現在行われている医用処理手順の候補を絞り込む。ここで、本実行形態では候補を減らし予測の精度を向上させるために、医用処理手順予測部８００は、操作者履歴記憶部８０１に予め記憶されている操作者の過去の医用処理手順や実行履歴を基に候補の絞り込みを行っているが、この絞り込みは行わなくとも動作可能である。その場合には、操作者履歴記憶部８０１は不要となる。
【００７１】
医用処理手順予測部８００は、予測した医用処理手順を実行済手順特定部００１及び残手順特定部００２へ出力する。
【００７２】
実行済手順特定部００１は、医用処理手順予測部８００が予測した医用処理手順の入力を受ける。そして、実行済手順特定部００１は、実行されている医用処理手順の中断の信号を実行装置から受けて、中断までに受信した実行履歴を基に手順記憶部００５を参照し、予測された医用処理手順に含まれる手順のなかで実行が終了した手順を特定する。
【００７３】
残手順特定部００２は、実行が終了した手順を基に手順記憶部００５を参照し、予測された医用処理手順のなかの残りの手順を特定する。
【００７４】
処理能力決定部００３は、手順記憶部００５を参照し予測された医用処理手順の中の残りの手順での処理条件を取得し、取得した処理条件を基に該処理条件を実行することが可能な最低限度の処理能力を決定する。
【００７５】
端末抽出部００４は、端末仕様記憶部００６を参照し予測された医用処理手順の中の残りの手順毎に処理能力決定部００３が求めた処理能力以上の処理能力を有する医用端末２０３を抽出し、さらに抽出した医用端末２０３の各手順においてどの程度の動作を行えるかを求める。
【００７６】
表示制御部００７は、端末抽出部００４が抽出した医用端末２０３の識別情報及びその医用端末が予測された医用処理手順の中の残りの各手順においてどの程度動作可能かを表示部０１０に表示させる。
【００７７】
以上で説明したように、本実行形態に係る医用端末選択装置は、行われている医用処理を基に現在行われている医用処理手順を予測し、中断後に予測した医用処理手順の残りの手順を実行可能な医用端末を抽出し表示する構成である。これにより、操作者が実行する医用処理手順を入力する必要がなくなり、操作者の負担を軽減することが可能である。
【符号の説明】
【００７８】
００１  実行済手順特定部
００２  残手順特定部
００３  処理能力決定部
００４  端末抽出部
００５  手順記憶部
００６  端末仕様記憶部
００７  表示制御部
００８  ユーザインタフェース
００９  入力部
０１０  表示部
０１１  予約記憶部
６０１  実行可能性判断部
６０２  通信部
８００  医用処理手順予測部
８０１  操作者履歴記憶部
【図１】
2010170245.tif 000003
【図２】
2010170245.tif 000004
【図３】
2010170245.tif 000005
【図４】
2010170245.tif 000006
【図５】
2010170245.tif 000007
【図６】
2010170245.tif 000008
【図７】
2010170245.tif 000009
【図８】
2010170245.tif 000010